(57)【要約】  【課題】カラオケ演奏の途中でも即座に文字サイズ別歌詞パターンの異なる歌詞字幕に切り替えて表示できると共に、特に、利用者別に予めデフォルト設定された歌詞字幕の選択手段により、先ず、利用者毎に最も適応した文字サイズ別歌詞パターンを素早く選択できるカラオケ演奏装置の提供。  【解決手段】複数のビデオメモリのそれぞれに異なった文字サイズ別歌詞パターンの歌詞字幕イメージデータを記憶させ、任意の利用者に対し、当該利用者が予め指定した文字サイズ情報に基づき、複数の文字サイズ別歌詞パターンの中から対応したパターンをデフォルト設定して、当該各種文字サイズ別歌詞パターンを選択可能とさせ、選択された歌詞字幕イメージデータが展開されているビデオメモリを選び、そのイメージデータを字幕表示手段に表示させた。【選択図】図３
2006208959.tif 000002
【特許請求の範囲】
【請求項１】
利用者ＩＤ認識手段と、字幕生成データ記憶手段と、複数のビデオメモリ、文字サイズ別歌詞パターン選択手段、字幕表示手段から主に構成される字幕生成部、および中央制御手段を含んでなるカラオケ演奏装置であって、
（ア）字幕生成データ記憶手段は、同一曲の歌詞字幕について、楽曲進行に合わせて色変わりする複数の文字サイズ別歌詞パターンの歌詞字幕生成起源となる文字サイズ別歌詞パターン毎に論理構成された字幕生成データを記憶し、
（イ）ビデオメモリは、歌詞字幕イメージデータを記憶し、
（ウ）文字サイズ別歌詞パターン選択手段は、任意の利用者に対し、当該利用者が予め指定した文字サイズ情報に基づき、複数の文字サイズ別歌詞パターンの中から対応したパターンをデフォルト設定して、当該各種パターンを選択可能とし、
（エ）字幕表示手段は、ビデオメモリの歌詞字幕イメージデータを映像出力し、
（オ）中央制御手段は、イメージデータ生成処理と、文字サイズ別歌詞パターン切替処理とを行い、
（ａ）イメージデータ生成処理は、カラオケ楽曲の演奏時に、その楽曲について、複数の各文字サイズ別歌詞パターンの字幕生成データを楽曲の進行に合わせて並列処理し、各文字サイズ別歌詞パターンの歌詞字幕イメージデータを複数のビデオメモリのそれぞれに展開し、
（ｂ）文字サイズ別歌詞パターン切替処理は、文字サイズ別歌詞パターン選択手段により選択された文字サイズ別歌詞パターンの歌詞字幕イメージデータが展開されているビデオメモリを選び、そのイメージデータを字幕表示手段に表示させる、
ことを特徴とするカラオケ演奏装置。
【発明の詳細な説明】
【技術分野】
【０００１】
本発明は、カラオケ演奏の途中でも、即座に文字サイズ別歌詞パターンの異なる歌詞字幕に切り替えて表示できると共に、利用者別に予めデフォルト設定された選択手段によって、利用者毎に最も適応したパターンを素早く選択できるカラオケ演奏装置に関する。
【背景技術】
【０００２】
カラオケ演奏装置は、カラオケ伴奏音楽の進行に合わせて、歌詞字幕を順次生成してディスプレイに表示する。表示されている文字列で特に歌唱時に、該当する文字の色を変えて歌唱者に指示する歌詞色変えの技術が知られている（特許文献１、特許文献２参照）。この技術において、歌詞色変えのために、歌詞文字列と表示レイアウトと表示シーケンスと歌唱時指示（色変え指示）の各情報を含んだ字幕生成データをカラオケ伴奏音楽の出力処理と同期して処理し、歌唱開始時機になると該当する文字の色を左端から徐々にワイプさせながら歌唱時機を指示する。なお、歌詞の字幕生成データは、データ制作者が実際に何度も演奏を聴き、制作用のパソコンのディスプレイで確認しながら歌いやすい歌詞字幕シーケンスになるように手動で操作しながら制作している。
【０００３】
このように、歌詞字幕は、表示文字列に対して歌い易いスピードで表示され色変えが施されるように個々に制御されている。したがって、同じカラオケ楽曲であっても歌詞の表記パターンが異なれば表示シーケンス制御や色変え制御のスピードも異なる。そのため、異なる表記パターン毎に字幕生成データが制作され、楽曲も別バージョンとして個別に用意されている。例えば、日本語バージョンと英語バージョンとでは異なる楽曲として、別の選曲番号が付与されてカラオケ楽曲として用意されている。
【０００４】
【特許文献１】特開平１１−３４４９８７第号公報
【特許文献２】特開２００２−３３３８９３号公報
【発明の開示】
【発明が解決しようとする課題】
【０００５】
ところで、カラオケ利用者にとって、歌唱時に歌詞字幕を読み取る場合、文字サイズ別で読み取り易い歌詞パターンの表記様態がある。具体的には、利用者毎の視力の問題である。そして、このような文字サイズ別歌詞パターンを作成したとしても、カラオケをグループや家族で利用する場合、すなわち、様々な視力を有する利用者が一同でカラオケを利用する場合は、あるカラオケ楽曲の最初から単一の歌詞パターンで歌われるとは限らず、演奏の途中から歌詞字幕の言語を変えたいという要望が多くなる。しかし、前述した日本語バージョン、英語バージョンのように、歌詞の表記別に楽曲番号が割り当てられていると、改めて別の予約曲として予約しなければならず、途中で歌詞パターンを切り替えることはできない。
【０００６】
そこで、本発明は、カラオケ演奏の途中でも即座に文字サイズ別歌詞パターンの異なる歌詞字幕に切り替えて表示することができると共に、特に、利用者別に予めデフォルト設定された歌詞字幕の選択手段によって、利用者毎に最も適応した文字サイズ別歌詞パターンを素早く選択できるカラオケ演奏装置の提供を目的とする。
【課題を解決するための手段】
【０００７】
上記課題を鑑み、本発明者らは、複数のビデオメモリのそれぞれに異なった文字サイズ別歌詞パターンの歌詞字幕イメージデータを記憶させ、任意の利用者に対し、当該利用者が予め指定した文字サイズ情報に基づき、複数の文字サイズ別歌詞パターンの中から対応したパターンをデフォルト設定して、当該各種文字サイズ別歌詞パターンを選択可能とさせ、選択された歌詞字幕イメージデータが展開されているビデオメモリを選び、そのイメージデータを字幕表示手段に表示させることで、上記課題を解決できることを見出し、本発明のカラオケ演奏装置を想到した。
【０００８】
すなわち、本発明のカラオケ演奏装置は、利用者ＩＤ認識手段と、字幕生成データ記憶手段と、複数のビデオメモリ、文字サイズ別歌詞パターン選択手段、字幕表示手段から主に構成される字幕生成部、および中央制御手段を含んでなるカラオケ演奏装置であって、
（ア）字幕生成データ記憶手段は、同一曲の歌詞字幕について、楽曲進行に合わせて色変わりする複数の文字サイズ別歌詞パターンの歌詞字幕生成起源となる文字サイズ別歌詞パターン毎に論理構成された字幕生成データを記憶し、
（イ）ビデオメモリは、歌詞字幕イメージデータを記憶し、
（ウ）文字サイズ別歌詞パターン選択手段は、任意の利用者に対し、当該利用者が予め指定した文字サイズ情報に基づき、複数の文字サイズ別歌詞パターンの中から対応したパターンをデフォルト設定して、当該各種パターンを選択可能とし、
（エ）字幕表示手段は、ビデオメモリの歌詞字幕イメージデータを映像出力し、
（オ）中央制御手段は、イメージデータ生成処理と、文字サイズ別歌詞パターン切替処理とを行い、
（ａ）イメージデータ生成処理は、カラオケ楽曲の演奏時に、その楽曲について、複数の各文字サイズ別歌詞パターンの字幕生成データを楽曲の進行に合わせて並列処理し、各文字サイズ別歌詞パターンの歌詞字幕イメージデータを複数のビデオメモリのそれぞれに展開し、
（ｂ）文字サイズ別歌詞パターン切替処理は、文字サイズ別歌詞パターン選択手段により選択された文字サイズ別歌詞パターンの歌詞字幕イメージデータが展開されているビデオメモリを選び、そのイメージデータを字幕表示手段に表示させる、
ことを特徴とする。
【発明の効果】
【０００９】
本発明のカラオケ演奏装置によれば、利用者が文字サイズ別歌詞パターンを指定して歌詞字幕を切り替える指示をすると、カラオケ演奏中であっても、各文字サイズ別歌詞パターンの歌詞字幕に特有の色変え表示にも遅滞なく即座に切り替えることができると共に、利用者別に予めデフォルト設定された選択手段によって、先ず、利用者毎に最も適応した文字サイズ別歌詞パターンを素早く選択できるといった効果を奏する。
【発明を実施するための最良の形態】
【００１０】
以下、本発明のカラオケ演奏装置について、好適な実施例を挙げ、先ず、図１に示す、本発明のカラオケ演奏装置の概略的ブロック構成図に基づき説明する。
【実施例１】
【００１１】
図１に示すように、本実施例のカラオケ演奏装置（１）は、主に、装置全体の動作を制御する中央制御手段（２）と、これに接続された各種機器にて構成されている。具体的には、この中央制御手段（２）には、ハードディスク（４）、ＲＡＭ（５）、音源（６）、ミキサ（７）、ボーカルアダプタ（１０）、ＭＰＥＧデコーダ（１１）、合成回路（１２）、利用者ＩＤ認識手段（３）などが接続されている。また、ハードディスク（４）には、カラオケ楽曲を演奏するための楽曲データ（２０）や背景映像の映像データ（２１）の他、利用者ＩＤ（１８）や、演奏された楽曲の楽曲コード（１９）、さらに、後述する「利用者別文字サイズ管理テーブル」（Ｔ）なども記録されている。
【００１２】
ここで、カラオケ演奏装置（１）の構成要素について少々説明する。先ず、音源（６）は、中央制御手段（２）が実行するシーケンサ（１５）における楽曲シーケンサの処理によって入力された楽曲データに応じて楽音信号を形成する。形成された楽音信号はミキサ（７）に入力され、このミキサ（７）は、音源（６）が発生した複数の楽音信号やカラオケマイク（Ｍ）と、Ａ／Ｄコンバータ（９）を介して入力された利用者の歌唱音声信号を適当なバランスでミキシングする。ミキシングされたデジタル音声信号はサウンドシステム（８）に入力される。このサウンドシステム（８）はパワーアンプを備え、入力されたデジタル信号をアナログ信号に変換して増幅し、スピーカ（Ｓ）から楽音と歌唱音声を放音する。
【００１３】
ハードディスク（４）に記録されている映像データ（２１）は、ＭＰＥＧ形式にエンコードされており、中央制御手段（２）が実行する背景映像再生手段（図示省略）により再生処理を行い、これを読み出してＭＰＥＧデコーダ（１１）に入力する。このＭＰＥＧデコーダ（１１）は入力されたＭＰＥＧデータをＮＴＳＣの映像信号に変換して合成回路（１２）に入力し、この合成回路（１２）は、この背景映像の映像信号上に歌詞テロップや採点表示などのＯＳＤを合成し、合成された映像信号は表示手段（Ｄ）に表示される。
【００１４】
シーケンサ（１５）は楽曲コードで識別される楽曲データをハードディスク（４）の楽曲データ記録エリア（２０）から読み出す。これは主に楽曲シーケンサおよび歌詞シーケンサからなっており、楽曲シーケンサは楽曲データ中の演奏データトラック、ガイドメロディトラックなどのトラックデータを読み出し、このデータで音源（６）を制御することでカラオケ楽曲の演奏を行い、一方、歌詞シーケンサは文字パターン作成手段を備えており、楽曲データ中の歌詞トラックのデータを読み出し、このデータに基づいて歌詞テロップの画像パターンを作成して、これを合成回路（１２）に出力する。
【００１５】
そして、このカラオケ演奏装置（１）には、楽曲検索機能を備えた多機能カラオケリモコン装置（Ｒ）が付帯されており、このリモコン装置（Ｒ）をもって、利用者は赤外線信号によりカラオケ演奏装置（１）に所望の演奏予約コマンドを送信する。操作制御手段（１４）は、この操作信号を検出すると対応する処理を行う。例えば、リモコン装置（Ｒ）にて楽曲コードが入力されると、カラオケ楽曲のリクエストであるとして、ＲＡＭ（５）にある予約待ち行列に楽曲コードを演奏予約する。
【００１６】
このリモコン装置（Ｒ）は、その内蔵２次電池に充電するための専用架台が必要となるが、この専用架台には、充電手段の他、利用者ＩＤを識別し、当該利用者のログインを認識するための利用者ＩＤ認識手段（３）が付帯されている。本実施例の利用者ＩＤ認識手段（３）は、非接触のＩＣモジュールを搭載したＩＤカードの読み取り／書き込み装置であり、カードＩＤに紐付けされた利用者ＩＤを特定するものである。勿論、本実施例の他に、例えば、ＩＣモジュールを携帯電話に内蔵させたＩＣ機能付き携帯電話や、近距離無線通信手段であるブルートゥース（blue tooth）機構を有する携帯電話、あるいはパスワードの入力装置や指紋や声紋などの生体識別機能に依る機構の利用者認識手段を利用しても構わない。なお、このリモコン装置（Ｒ）が専用架台に装着されると、そのＬＡＮポートを介して本発明のカラオケ演奏装置と通信したり、さらには、ＶＰＮ（Virtual Private Network）を介してカラオケホスト装置と通信したりできる。
【００１７】
以下、図２に示した、歌詞字幕データの理論構成の例示図を用い、本実施例に係る字幕生成データの論理構成を例示する。本実施例に係るカラオケ演奏装置は、４４ポイント、４８ポイント、５２ポイント、５６ポイントの歌詞字幕を表示できる。すなわち、選曲時など適宜な機会に利用者が選択した文字サイズ別歌詞パターンの歌詞字幕を表示できるように構成されている。歌詞を映像出力する制御は１行の歌詞文字列を基本単位として処理されるが、字幕生成データは１行単位で仕分けされたデータブロックになっている。１行分のデータブロック（行ブロックとする）は、歌詞の基本データである歌詞文字列情報および表示レイアウト情報と、表示タイミングおよび消去タイミングを規定する表示シーケンス情報と、色変え指示情報との論理的集合体であって、表示シーケンス情報の時間分解能（最小単位）は１０ミリ秒である。
【００１８】
歌詞の基本データは、１行分の歌詞文字コードの集合である歌詞文字列情報と、その１行の歌詞文字列をどのようなレイアウトで表示するかを規定した表示レイアウト情報とを含んでいる。表示タイミングは１行の歌詞文字列を「いつ」画面に表示するのかを規定したものであり、字幕生成指令が発行された時点からの経過時間（総合経過時間とする）で「いつ」を表現している。消去タイミングは１行の歌詞文字列を「いつ」画面から消すのかを規定したものであり、その行の表示開始時点からの経過時間（行表示時間とする）で「いつ」を表現している。色変え指示情報は、１行の歌詞文字列を色変えする進め方について規定したものである。色変え制御は、歌詞文字列上の色変え位置Ｐを時間Ｔの経過につれて左から右に徐々に変化させることで行う。その時間Ｔと位置Ｐの関数が色変え関数である。色変え関数を特定する時間Ｔと位置Ｐの複数個の座標点を表すデータが色変え指示情報であり、時間Ｔのデータは当該行の歌詞文字列の表示開始時点からの経過時間で表現している。
【００１９】
本実施例において、字幕生成データは、歌詞字幕の文字サイズ別歌詞パターンの数だけ制作され用意されている。すなわち、各楽曲につき、４４ポイント、４８ポイント、５２ポイント、５６ポイント用の４種類の字幕生成データが制作され記憶されている。各字幕生成データには文字サイズ別歌詞パターン識別子が付加されており、何れかを特定することによって、どの文字サイズ別歌詞パターン用の字幕生成データであるかが分かるように構成されている。
【００２０】
以下、図３に示す、字幕生成部の概略的ブロック構成図に基づき、本発明のカラオケ演奏装置において、複数のビデオメモリ、文字サイズ別歌詞パターン選択手段、字幕表示手段から主に構成される字幕生成部について詳述するが、先ず、ここで、基本的な字幕生成処理について、以下に示す（Ａ）〜（Ｃ）に基づき説明する。
【００２１】
カラオケ演奏時には、中央制御手段（２）は伴奏音楽の生成処理に同期して字幕生成データをビデオメモリ（１６ａ）に転送し、歌詞字幕イメージデータを順次ビットマップ展開させる。この処理は小さな一定の周期Δｔごと（例えば１０ミリ秒ごと）に実行され、字幕生成データの歌詞文字列を１行単位にビデオメモリ（１６ａ）に描画すると共に色変えの処理を加える。
【００２２】
（Ａ）１行の歌詞文字列を表示する処理
先ず、中央制御手段（２）は、字幕生成データの処理開始指令を受けてからの経過時間（総合経過時間）をカウントすると共に、その総合経過時間と各行ブロックについての表示シーケンス情報（表示タイミング）とを比較し、ある行の表示タイミングになったならば、その行ブロックの歌詞の基本データに基づいて該当文字列を該当レイアウトで画像表現したデータを生成してビデオメモリに書き込む。
【００２３】
（Ｂ）１行の歌詞文字列を消去する処理
ある行の歌詞文字列を表示したならば、その表示開始時点からの経過時間（行表示時間）をカウントすると共に、その行表示時間と該当ブロックについての表示シーケンス情報（消去タイミング）とを比較し、消去タイミングになったならば、ビデオメモリにおける該当行の文字列データを消去する。
【００２４】
（Ｃ）１行の歌詞文字列を色変えする処理
ある行の歌詞文字列を表示したならば、その行ブロックの色変え指示情報に基づいて、行表示時間Ｔの経過に合わせて歌詞文字列の色変え点の位置Ｐを左から右へと変化させて行く。この処理は色変え指示情報に基づいて色変え関数を演算するプロセスと、その色変え関数に従って一定周期Δｔごとに色変え点の位置Ｐを決め、その位置Ｐに従ってビデオメモリ上の色コードを設定するプロセスから構成されている。色変え指示情報は、色変え関数を特定する時間Ｔと位置Ｐの複数個の座標点を表すデータである。色変え関数を演算するプロセスにおいて、これらの各座標点を滑らかに結んだ曲線に沿って、時間軸上の各時点Ｔｎ（Δｔ×ｎ）に対応する色変え点の位置データＰｎを演算により求める。
【００２５】
このように、行表示時間（各実行時点Δｔ×ｎ）に対応する色変え点の位置データＰｎを求め、ビデオメモリにおける該当行の歌詞文字列画像データの色コードを位置データＰｎで特定される位置まで所定の色に設定する。この処理を一定周期Δｔで繰り返すことにより、行表示時間Ｔの経過につれて歌詞文字列上の色変え点の位置Ｐが左から右に徐々に変化する画像が生成される。
【００２６】
以上の（Ａ）〜（Ｃ）の基本的な字幕生成処理にしたがって、歌詞字幕イメージデータがビデオメモリにビットマップ展開される。
【００２７】
本実施例のカラオケ演奏装置は、４４ポイント、４８ポイント、５２ポイント、５６ポイント用の４つのビデオメモリ（１６ａ，１６ａ，１６ａ，１６ａ）を備えている。これらのビデオメモリ（１６ａ，１６ａ，１６ａ，１６ａ）は、文字サイズ別歌詞パターン選択手段（１６ｂ）を介して字幕表示手段（１６ｃ）に接続されており、指定されたビデオメモリの内容を文字サイズ別歌詞パターン選択手段（１６ｂ）により分離して読み出せるように構成されている。カラオケ演奏時には、伴奏音楽の生成処理に同期して各ビデオメモリ（１６ａ）に各パターン用の字幕生成データを転送し、各々のビデオメモリ（１６ａ）において上記（Ａ）〜（Ｃ）の処理に従って、各パターンの歌詞字幕イメージデータのビットマップ展開が並行してなされる。
【００２８】
利用者が後述するような適宜なユーザインタフェースにより、所望する文字サイズ別歌詞パターンの字幕生成データの文字サイズ別歌詞パターン識別子を特定すると、字幕生成部（１６）は文字サイズ別歌詞パターン選択手段（１６ｂ）を介してその文字サイズ別歌詞パターン用のビデオメモリ（１６ａ）の内容を読み出して字幕表示手段（１６ｃ）に送信する。字幕表示手段（１６ｃ）は、そのビデオメモリ（１６ａ）に書き込まれた歌詞字幕イメージデータをアナログ信号に変換して合成回路（１２）に供給する。合成回路（１２）では、この歌詞字幕イメージデータを映像再生装置（１７）から出力される背景映像にスーパーインポーズして表示手段に映像出力する。なお、本実施例においては、複数の物理的なビデオメモリを各文字サイズ別歌詞パターン用に備える形式としたが、当然、ビデオメモリに複数の領域を割り当て、各領域を各パターンのビデオメモリとして管理してもよい。すなわち、表示パターンを切り替える場合には、領域を切り替えて歌詞字幕イメージデータを読み出すようにしてもよい。
【００２９】
以下、図４に示す、利用者別文字サイズ管理テーブルの概念図と、図５に示す、文字サイズ別歌詞パターン選択用アイコンの表示例図に基づき、当該利用者が予め指定した文字サイズ情報に基づく、利用者別のデフォルト設定について詳述する。
【００３０】
本発明は、任意の利用者に対し、当該利用者が予め指定した文字サイズ情報に基づき、複数の文字サイズ別歌詞パターンの中から対応したパターンをデフォルト設定するが、利用者毎に予め作成された図４の利用者別文字サイズ管理テーブル（Ｔ）にて、利用者ＩＤのログイン（利用者登録）により確認された利用者を対象として管理されている。具体的には、この管理テーブル（Ｔ）は、利用者を特定するための「利用者ＩＤ」フィールド（ｆ１）と、利用者が予め指定した文字サイズ情報を示す「文字サイズ」フィールド（ｆ２）にて主に構成されている。
【００３１】
任意の利用者による所望の楽曲の演奏時、図３に示すように、中央制御手段（２）は、ハードディスク（４）にある上記利用者別文字サイズ管理テーブル（Ｔ）を参照し、該当する利用者ＩＤを確認すると、文字サイズ別歌詞パターン選択手段（１６ｂ）に対し、対応する文字サイズ別歌詞パターンをデフォルト設定して当該パターンを選択可能とするように制御する。なお、該当する利用者ＩＤが無い場合は、楽曲の内容に応じて楽曲毎に適切な文字サイズ別歌詞パターン（例えば、４８ポイント）をデフォルト設定しても良く、あるいは、この場合にはデフォルト設定を全く設けないように構成しても良い。
【００３２】
図５には、文字サイズ別歌詞パターン選択用のアイコンが例示されており、「４４ポイント」と「４８ポイント」と「５２ポイント」および「５６ポイント」の４つの文字サイズ別歌詞パターンを選択でき、任意の利用者に対し、当該利用者が予め指定した文字サイズ情報に基づき、複数の文字サイズ別歌詞パターンの中から対応したパターンをデフォルト設定して、当該各種文字サイズ別歌詞パターンを選択可能に構成されているため、利用者毎に最も適応した文字サイズ別歌詞パターンを素早く選択できる。因みに、図中、白黒反転したアイコンの文字サイズ別歌詞パターン（５２ポイント）がデフォルト設定されている文字サイズ別歌詞パターンである。なお、本実施例では、この４種の文字サイズを用意しているが、本発明はこれに限定されず、如何なるポイント数でも構わない。
【００３３】
以下、図６に示す、利用者別ログイン・ログアウト指示のインタフェイス表示画面に基づき、本発明のカラオケ演奏装置に対する、利用者ＩＤに基づくログイン（利用者登録）・ログアウト（登録抹消）について詳述する。
【００３４】
図５は、多機能カラオケリモコン装置の液晶ディスプレイ（Ｒａ）とタッチセンサ（Ｒｂ）とを積層したタッチパネルの表示画面を示しており、このタッチパネルが利用者別にログインとログアウトを指示するための利用者インタフェイスとなっている。この表示画面には、利用者別顔写真付きアイコン列（３０）や利用者毎にログインするための「ログイン」アイコン（３１）や、同様に、ログアウトするための「ログアウト」アイコン（３２）などが設けられている。
【００３５】
前述したように、リモコン装置を前述した専用架台に装着した状態で、利用者は先ず、「ログイン」アイコン（３１）を選択した後、当該専用架台に付帯したＩＤカードの読み取り／書き込み装置（利用者ＩＤ認識手段）に自らのＩＤカードを装填することにより、これに紐付けされた利用者ＩＤが識別されると同時にログインが認識される。ログインが認識されると、カラオケホスト装置などに予め登録された利用者の顔写真、あるいは、予め登録されていない場合、デジタルカメラ機能を使って撮影した利用者の顔写真を新たに登録して、順次、所定の利用者別顔写真付きアイコン（３０ａ）を利用者毎に作成する。
【００３６】
この利用者インタフェイスを利用すれば、各種文字サイズ別歌詞パターン選択の際、利用者は自らの顔写真付きアイコン（３０ａ）を選択し、さらに、所定の文字サイズ別歌詞パターン選択の操作を行えば、その文字サイズ別歌詞パターン選択が当該利用者によるものと確認される。そして、利用者がログアウトしたい場合は、「ログアウト」アイコン（３２）を選択し、続けて自らの顔写真付きアイコン（３０ａ）を選択すれば当該利用者がログアウトしたと判断される。
【００３７】
以上、詳述したように、本発明のカラオケ演奏装置によれば、利用者が文字サイズ別歌詞パターンを指定して歌詞字幕を切り替える指示をすると、カラオケ演奏中であっても、各文字サイズ別歌詞パターンの歌詞字幕に特有の色変え表示にも遅滞なく即座に切り替えることができると共に、利用者別に予めデフォルト設定された選択手段によって、先ず、利用者毎に最も適応した文字サイズ別歌詞パターンを素早く選択できる。
【図面の簡単な説明】
【００３８】
【図１】本発明のカラオケ演奏装置の概略的ブロック構成図。
【図２】歌詞字幕データの理論構成の例示図。
【図３】字幕生成部の概略的ブロック構成図。
【図４】利用者別文字サイズ管理テーブルの概念図。
【図５】文字サイズ別歌詞パターン選択用アイコンの表示例図。
【図６】利用者別ログイン・ログアウト指示のインタフェイス表示画面。
【符号の説明】
【００３９】
１  カラオケ演奏装置
２  中央制御手段
３  利用者ＩＤ認識手段
４  ハードディスク
５  ＲＡＭ
１２  合成回路
１６  字幕生成部
１６ａ  ビデオメモリ
１６ｂ  文字サイズ別歌詞パターン選択手段
１６ｃ  字幕表示手段
Ｔ  利用者別文字サイズ管理テーブル
Ｒ  リモコン装置
【図１】
2006208959.tif 000003
【図２】
2006208959.tif 000004
【図３】
2006208959.tif 000005
【図４】
2006208959.tif 000006
【図５】
2006208959.tif 000007
【図６】
2006208959.tif 000008